(57)【要約】【課題】  保持枠体に対する洗浄・乾燥すべき袋状収納体の取付け固止及びその取外し作業をきわめて簡単かつ容易に遂行することができるクランプ装置を提供する。【解決手段】  袋状収納体Ｗの洗浄・乾燥部位上に架設された搬送ラインに対して移動可能に装設されかつ袋状収納体Ｗがその開口端部を開口状態のまま取付けられるリング状の保持環部２を備えた保持枠体１において、保持枠体１の保持環部２に対しブラケット６を介して固止部材５が上下方向の傾動可能に支承され、この固止部材５は、ブラケット６に対する傾動支承部から内方部が保持環部２の外側面に接離可能な固止面７を備えた固止アーム部８とされかつ傾動支承部から外側部を作動アーム部９とされるとともに、固止アーム部８が常にはその固止面７を保持環部２の外側面に接触する方向に自重で傾動されて、袋状収納体Ｗを保持環部２と固止アーム部８とで挟持状に固止する。【選択図】  図１
2007099478.tif 000002
【特許請求の範囲】
【請求項１】
袋状収納体の洗浄・乾燥部位上に架設された搬送ラインに対して移動可能に装設されかつ該袋状収納体がその開口端部を開口状態のまま取付けられるリング状の保持環部を備えた保持枠体において、
該保持枠体の保持環部に対しブラケットを介して固止部材が上下方向の傾動可能に支承され、
この固止部材は、前記ブラケットに対する傾動支承部から内方部が前記保持枠体の保持環部の外側面に接離可能な固止面を備えた固止アーム部とされかつ該傾動支承部から外側部を作動アーム部とされるとともに、前記固定アーム部が常にはその固止面を保持環部の外側面に接触する方向に自重で傾動されて、袋状収納体を保持環部と固止アーム部とで挟持状に固止することを特徴とした袋状収納体のクランプ装置。
【請求項２】
請求項１記載の袋状収納体のクランプ装置であって、前記固止アーム部の固止面を前記保持環部の外側面を接線とする上下方向の円弧面となしたことを特徴とする袋状収納体のクランプ装置。
【請求項３】
請求項１または２記載の袋状収納体のクランプ装置であって、保持枠体の保持環部に対して前記固止部材を所定の間隔をおいて複数個設け、袋状収納体の搬送ラインにおける取外し部位に各固止部材の作動アーム部の上方部にわたって対応する固止解除部材を上下動可能に装設し、この固止解除部材の下動動作により各固止部材の作動アーム部を同時に下方向に傾動して前記固止アーム部の固止状態を解除するように構成されていることを特徴とする袋状収納体のクランプ装置。
【発明の詳細な説明】
【技術分野】
【０００１】
本発明は、例えば、粒状のプラスチック原料や各種の食品原材料を収納する袋（本明細書では袋状収納体という。）を再使用するためにその内部を洗浄・乾燥する装置において、袋状収納体を吊り下げ状態で取付ける保持枠体に装備されかつ該袋状収納体を固止するクランプ装置に関する。
【背景技術】
【０００２】
従来、この種の袋状収納体の洗浄・乾燥する装置にあっては、その洗浄・乾燥部位上に架設された搬送ラインに対して保持枠体が移動可能に装設されており、この保持枠体に洗浄・乾燥すべき袋状収納体を取付け、該保持枠体を搬送ラインに沿って移動して洗浄・乾燥するように構成されている。そして、保持枠体に対する袋状収納体の取付け及び取外し手段（クランプ手段）にあっては、袋状収納体の洗浄・乾燥がその内部に対して行われるものであることから、該洗浄・乾燥すべき袋状収納体は保持枠体に対しその開口端部の開口状態を維持したまま吊り下げ状態で取付けられ、その外側から複数個のネジ手段（例えばボルト等）により固止する構成が採用されていた。上記した構成は現場において任意に採択して行われている手段であるため、とくに特許文献としては未調査である。
【発明の開示】
【発明が解決しようとする課題】
【０００３】
しかしながら、上記した従来の構成にあっては、複数個のネジ手段により行うものであるため、その取付け時の固止及び取外し時の弛緩作業が著しく面倒かつ煩わしいものであり、その作業性を著しく悪化させるものであった。
そこで、本発明は、上記した従来の問題点に鑑み、保持枠体に対する洗浄・乾燥すべき袋状収納体の取付け固止及びその取外し作業をきわめて簡単かつ容易に遂行することができる袋状収納体のクランプ装置を提供することを課題とする。
【課題を解決するための手段】
【０００４】
上記した課題は、各請求項記載の発明によって解決される。
すなわち、請求項１記載の発明は、袋状収納体の洗浄・乾燥部位上に架設された搬送ラインに対して移動可能に装設されかつ該袋状収納体がその開口端部を開口状態のまま取付けられるリング状の保持環部を備えた保持枠体において、
該保持枠体の保持環部に対しブラケットを介して固止部材が上下方向の傾動可能に支承され、
この固止部材は、前記ブラケットに対する傾動支承部から内方部が前記保持枠体の保持環部の外側面に接離可能な固止面を備えた固止アーム部とされかつ該傾動支承部から外側部を作動アーム部とされるとともに、前記固止アーム部が常にはその固止面を保持環部の外側面に接触する方向に自重で傾動されて、袋状収納体を保持環部と固止アーム部とで挟持状に固止することを特徴とする。
【０００５】
この発明にあっては、固止部材を構成する固止アーム部の自重による傾動動作によって袋状収納体を保持環部と固止アーム部とで挟持状に固止することができる。
【０００６】
請求項２記載の発明は、請求項１記載の袋状収納体のクランプ装置であって、前記固止  アーム部の固止面を前記保持環部の外側面を接線とする上下方向の円弧面となしたこと  を特徴とする。
【０００７】
この発明にあっては、固止アーム部の固止面を前記保持環部の外側面を接線とする上下方向の円弧面に形成することによって、袋状収納体に対する挟持固止状態を合理的に確実にすることができ、該挟持固止及びその解除動作を円滑になし得るものである。
【０００８】
請求項３記載の発明は、請求項１または２記載の袋状収納体のクランプ装置であって、保持枠体の保持環部に対して前記固止部材を所定の間隔をおいて複数個設け、袋状収納体の搬送ラインにおける取外し部位に各固止部材の作動アーム部の上方部にわたって対応する固止解除部材を上下動可能に装設し、この固止解除部材の下動動作により各固止部材の作動アーム部を同時に下方向に傾動して前記固止アーム部の固止状態を解除するように構成されていることを特徴とする。
【０００９】
この発明にあっては、固止解除部材によって各固止部材の作動アーム部を同時に下方向に傾動して該固止アーム部の固止状態を一度に解除することができる。
【発明の効果】
【００１０】
請求項１記載の発明によれば、保持枠体に対する洗浄・乾燥すべき袋状収納体の取付け固止及びその取外し作業をきわめて簡単かつ容易に遂行することができ、その作業性の良化向上を図ることができる。
【００１１】
請求項２記載の発明によれば、袋状収納体に対する挟持固止状態を合理的に確実にすることができ、該挟持固止及びその解除動作を円滑にし、その作業性のさらなる向上を図ることができる。
【００１２】
請求項３記載の発明によれば、固止アーム部の固止状態を一度に解除することができ、その作業性を大幅に向上することができる。
【発明を実施するための最良の形態】
【００１３】
次に、本発明を実施するための最良の形態について、実施例にしたがって説明する。
【実施例】
【００１４】
図３に示すように、本実施例の袋状収納体Ｗは、複数層のビニール製からなり、両端部が開口（開放）された筒状体から形成され、その開口両端部位は若干細く形成されて内面から外面にわたりベルト状の縛り紐（図示しない）がそれぞれ縫着（図では破線で示す）されおり、実際の使用時には、縛り紐により一方端の開口部を閉塞して内部に粒状のプラスチック原料や各種の食品原材料を収納したのち他方端部の開口部を閉塞して、その運搬に供されとともに、縛り紐の緊縛状態を解いて収納物を取出し、再使用のためにその内部の洗浄・乾燥がなされるものである。
【００１５】
そして、前記袋状収納体Ｗは前述のように再使用のためにその内部の洗浄・乾燥がなされるものであるものであり、その洗浄・乾燥の処理現場において、袋状収納体の取付け部位、洗浄部位、乾燥部位、洗浄・乾燥された袋状収納体の取出し部位に対応して上方に架設された搬送ラインにレール（図示しない）に移動可能に装設される保持枠体１に取付けられる。
【００１６】
この保持枠体１は、図１に示すように、外周の胴部を形成する保持環部２と該保持環部２の上部に横架された横梁部３とを主体としてほぼ円筒状に枠組み形成されており、その横梁部３の中央部には前記搬送ラインにおけるレール（図示しない）に対し吊り下げ状に装設するための軸状連結部４が回動可能に立設されている。なお、この軸状連結部４は実際にはレール（図示しない）に沿って配設され適宜の駆動手段によって移動されるコンベヤ（ともに図示しない）に装設されるものである。
【００１７】
そして、前記保持枠体１の保持環部２の外周部に対し袋状収納体Ｗがその開口端部を嵌合された状態で吊り下げ状に取付けられるものであり、この保持環部２の上部外周部には所定の間隔をおいて複数個（図では４個の場合を示す。）の固止部材５〜５が装設されている。
【００１８】
この固止部材５は、前記保持環部２に装設されたほぼ鉤形のブラケット６にの下端部に対しほぼ中央部が支軸１１を介して上下動可能に支承されており、該ブラケット６に対する支軸１１（傾動支承部）から内方部に至る部位はほぼ扇形状に形成されるとともに、前記保持枠体１の保持環部２の外側面に接離可能な固止面７を備えた固止アーム部８とされかつ該支軸１１（傾動支承部）から外側部を後述する固止解除部材に対応する直線板状の作動アーム部９とされている。
【００１９】
そして、前記固止部材５は、その固止アーム部８が常にはその固止面７を保持環部２の外側面に接触する方向に自重で傾動されるように前記作動アーム部９に対し重量を重く設定されていて、保持環部２に嵌合される袋状収納体Ｗをその保持環部２とで挟持状態にて固止するように構成されている。なお、固止アーム部８の固止面７は前記保持環部２の外側面を接線とする上下方向の円弧面となして該袋状収納体Ｗを比較的線接触状態となるように設定されている。
【００２０】
また、前記固止部材５の作動アーム部９は、図１における仮想線で示すように、前記搬送ラインにおける袋状収納体の取出し部位（図示しない）に装設された固止解除部材１０によって作動するよう該固止解除部材１０に対応されるものである。すなわち、この固止解除部材１０は先端部位がほぼ円弧状の二又状に形成された対向する一対の作動片１０ａを主体として適宜の駆動手段により上下動可能されている。しかして、固止解除部材１０は保持枠体１が搬送ラインにおける袋状収納体Ｗの取出し部位に対応位置された状態において、下動動作されて、固止部材５の作動アーム部９を支軸７を支点として下方向（固止アーム部８の自重に抗して）に傾動して前記固止アーム部８によるの固止状態を解除するように構成されている。
【００２１】
さて、本実施例の袋状収納体Ｗのクランプ装置は上述のように構成されたものであり、搬送ラインにおける袋状収納体Ｗの取付け部位（図示しない）に対応位置された保持枠体１に該袋状収納体Ｗを取付けるに際し、その開口端部を該保持枠体１の保持環部２に嵌合するものであるが、この嵌合動作に伴って固止部材５の固止アーム部８がその自重による傾動方向に抗して上方に傾動（押し上げ傾動）されて袋状収納体Ｗの開口端部の嵌合を許容される。
【００２２】
そして、嵌合動作に伴う固止部材５の固止アーム部８の上方に傾動（押し上げ傾動）を終えると、該固止アーム部８がその自重により自動的に下方向に傾動され、この状態において袋状収納体Ｗをその固止面７と保持環部２の外側面とで挟持状態に固止してクランプすることができる。
【００２３】
このクランプ状態は、固止面７は前記保持環部２の外側面を接線とする上下方向の円弧面となして該袋状収納体Ｗを比較的線接触状態となるように設定されているため、合理的なクランプ状態を得ることができるとともに、円滑なる挟持固止動作を遂行することができる。
【００２４】
なお、上記状態は各固止手段５〜５において同様に行われ、保持枠体１に対する袋状収納体Ｗの強固なクランプの吊り下げ状態を確保することができる。
【００２５】
そして、保持枠体１が搬送ラインにおける袋状収納体Ｗの取出し部位に対応位置された状態において、固止解除部材１０における一対の作動片１０ａが下動動作され、この一対の作動片１０ａの下動により固止部材５の作動アーム部９を支軸１１を支点として下方向（固止アーム部８の自重に抗して）に傾動して前記固止アーム部８によるの固止状態を一度に解除することができるものである。
【図面の簡単な説明】
【００２６】
【図１】本発明の一実施例の概略形態を示す斜視図である。
【図２】クランプ装置を示す断面図である。
【図３】袋状収納体を示す説明図である。
【符号の説明】
【００２７】
１  保持枠体
２  保持環部
５  固止部材
６  ブラケット
８  固止アーム部
９  作動アーム部
Ｗ  袋状収納体
【図１】
2007099478.tif 000003
【図２】
2007099478.tif 000004
【図３】
2007099478.tif 000005